【手続補正書】
【提出日】平成25年9月17日(2013.9.17)
【手続補正１】
【補正対象書類名】明細書
【補正対象項目名】０１１８
【補正方法】変更
【補正の内容】
【０１１８】
次いで、このコーティング組成物で金属パネルをコーティングし、前述のように試験する。結果を表８に示す。
【手続補正２】
【補正対象書類名】明細書
【補正対象項目名】０１２１
【補正方法】変更
【補正の内容】
【０１２１】
次いで、このコーティング組成物で金属パネルをコーティングし、前述のように試験する。結果を表８に示す。
【手続補正３】
【補正対象書類名】明細書
【補正対象項目名】０１２４
【補正方法】変更
【補正の内容】
【０１２４】
次いで、このコーティング組成物で金属パネルをコーティングし、前述のように試験する。結果を表８に示す。
【手続補正４】
【補正対象書類名】明細書
【補正対象項目名】０１２７
【補正方法】変更
【補正の内容】
【０１２７】
次いで、このコーティング組成物で金属パネルをコーティングし、前述のように試験する。結果を表８に示す。
【手続補正５】
【補正対象書類名】明細書
【補正対象項目名】０１３０
【補正方法】変更
【補正の内容】
【０１３０】
次いで、このコーティング組成物で金属パネルをコーティングし、前述のように試験する。結果を表８に示す。
【手続補正６】
【補正対象書類名】明細書
【補正対象項目名】０１３３
【補正方法】変更
【補正の内容】
【０１３３】
次いで、このコーティング組成物で金属パネルをコーティングし、前述のように試験する。結果を表８に示す。
【手続補正７】
【補正対象書類名】明細書
【補正対象項目名】０１３４
【補正方法】削除
【補正の内容】
【手続補正８】
【補正対象書類名】明細書
【補正対象項目名】０１３５
【補正方法】削除
【補正の内容】
【手続補正９】
【補正対象書類名】明細書
【補正対象項目名】０１３６
【補正方法】削除
【補正の内容】
【手続補正１０】
【補正対象書類名】明細書
【補正対象項目名】０１３８
【補正方法】変更
【補正の内容】
【０１３８】
【表７】
2013506739.tif 000001
【手続補正１１】
【補正対象書類名】明細書
【補正対象項目名】０１３９
【補正方法】変更
【補正の内容】
【０１３９】
次いで、このコーティング組成物で金属パネルをコーティングし、前述のように試験する。結果を表８に示す。
【手続補正１２】
【補正対象書類名】明細書
【補正対象項目名】０１４０
【補正方法】変更
【補正の内容】
【０１４０】
【表８】
2013506739.tif 000002
【手続補正１３】
【補正対象書類名】明細書
【補正対象項目名】０１４２
【補正方法】変更
【補正の内容】
【０１４２】
実施例７〜１０
表９〜１２に示される配合で、前述のように実施例７〜１０を配合する。比較例２〜５は、それぞれ、実施例７〜１０と同様に配合し、そして各ケースにおいて、比較例は、エポキシ樹脂成分を用いずに配合されることを除き、実施例７〜１０と組成が同一である。
【手続補正１４】
【補正対象書類名】明細書
【補正対象項目名】０１４３
【補正方法】変更
【補正の内容】
【０１４３】
【表９】
2013506739.tif 000003
【手続補正１５】
【補正対象書類名】明細書
【補正対象項目名】０１４４
【補正方法】変更
【補正の内容】
【０１４４】
【表１０】
2013506739.tif 000004
【手続補正１６】
【補正対象書類名】明細書
【補正対象項目名】０１４５
【補正方法】変更
【補正の内容】
【０１４５】
【表１１】
2013506739.tif 000005
【手続補正１７】
【補正対象書類名】明細書
【補正対象項目名】０１４６
【補正方法】変更
【補正の内容】
【０１４６】
【表１２】
2013506739.tif 000006
【手続補正１８】
【補正対象書類名】明細書
【補正対象項目名】０１４７
【補正方法】変更
【補正の内容】
【０１４７】
各ケースにおいて、次いで、金属パネルをコーティング組成物でコーティングして、前述のように試験する。結果を表１３に示す。
【手続補正１９】
【補正対象書類名】明細書
【補正対象項目名】０１４８
【補正方法】変更
【補正の内容】
【０１４８】
比較例２〜５
比較例２〜５は、実施例７〜１０に関して上記されたように配合され、かつエポキシ樹脂成分を含まないことを除き、実施例７〜１０と組成が同一である。コーティングされた試料を腐食耐性に関して評価する。表１３に示す。
【手続補正２０】
【補正対象書類名】明細書
【補正対象項目名】０１４９
【補正方法】変更
【補正の内容】
【０１４９】
【表１３】
2013506739.tif 000007
【手続補正２１】
【補正対象書類名】明細書
【補正対象項目名】０１５０
【補正方法】変更
【補正の内容】
【０１５０】
実施例７〜１０および比較例２〜５では、鉛筆硬度に関して類似の結果が得られる。しかしながら、比較例は、アトラス腐食耐性試験が不合格であり、１００℃の塩化ナトリウム溶液に浸漬後、コーティングは基材から容易に剥がれ、そしてパネルにさびが形成する。実施例７〜１０は、アトラス試験を合格し、１００℃の塩化ナトリウム溶液に浸漬後、コーティングを基材から剥がすことができず、そしてパネルにはさび形成が見られない。
この結果は、適切な比率で、ポリアミドイミドおよびエポキシ結合剤がフルオロポリマーと一緒に使用される場合、良好な抗腐食特性およびフィルム強度を達成することができることを示す。１種またはそれ以上の補助結合剤が使用される場合、コーティングの抗腐食特性をさらに向上させることができる。そのうえ、この試験結果は、本発明のコーティング組成物が、その優れた抗腐食特性と良好な摩耗耐性特性とを併せ持つことを示す。本発明のコーティング組成物は、特に炭素鋼、ステンレス鋼および他の金属基材を海水暴露から保護するために適切である。
【手続補正２２】
【補正対象書類名】明細書
【補正対象項目名】０１５１
【補正方法】変更
【補正の内容】
【０１５１】
以上、本発明を要約すると下記の通りである。
１．固体の全質量に基づく固体の質量百分率で、
（ａ）１〜３５質量％の１つまたはそれ以上のフルオロポリマーと、
（ｂ）１〜７０質量％の１つまたはそれ以上のエポキシ樹脂と、
（ｃ）５〜７０質量％の１つまたはそれ以上のポリアミドイミドと
を含んでなる、耐食性フィルム。
２．（ｄ）１〜４０質量％の、１つまたはそれ以上のポリエーテルスルホン、ポリフェニレンスルフィド、ポリアミド、ポリイミド、ポリエーテルエーテルケトン、ポリエーテルイミド、ポリウレタン、アルキド樹脂、ポリエステルまたはアクリルポリマーからなる補助結合剤をさらに含んでなる、上記１に記載の耐食性フィルム。
３．フルオロポリマーが、ポリテトラフルオロエチレン、テトラフルオロエチレン−ヘキサフルオロプロピレンコポリマー、テトラフルオロエチレン−ペルフルオロアルキルビニルエーテルコポリマー、エチレン−テトラフルオロエチレンコポリマー、ポリフッ化ビニル、ポリフッ化ビニリデン、ポリヘキサフルオロプロピレン、エチレン−ヘキサフルオロプロピレンコポリマー、エチレン−フッ化ビニルコポリマーまたはそれらのいずれかの組み合わせの１つである、上記１又は２に記載の耐食性フィルム。
４．アクリルポリマーが、（メタ）アクリル酸、もしくはＣ１-８アルキル（メタ）アクリ
レート、またはそれらの組み合わせの重合単位を含んでなる、上記２に記載の耐食性フィルム。
５．固体の全質量に基づく固体の質量百分率で、
３〜３５質量％の１つまたはそれ以上のフルオロポリマーと、
２〜６０質量％の１つまたはそれ以上のエポキシ樹脂と、
６〜５５質量％の１つまたはそれ以上のポリアミドイミドと、
７〜４０質量％の、ポリエーテルスルホン、ポリフェニレンスルフィド、ポリアミド、ポリイミド、ポリエーテルエーテルケトン、ポリエーテルイミド、ポリウレタン、アルキド樹脂、ポリエステルまたはアクリルポリマーの１つまたはそれ以上からなる補助結合剤と
を含んでなる、上記２に記載の耐食性フィルム。
６．固体の全質量に基づく固体の質量百分率で、
８〜３５質量％の１つまたはそれ以上のフルオロポリマーと、
１５〜７０質量％の１つまたはそれ以上のエポキシ樹脂と、
６〜１７質量％の１つまたはそれ以上のポリアミドイミドと、
５〜３５質量％の、ポリエーテルスルホン、ポリフェニレンスルフィド、ポリアミド、ポリイミド、ポリエーテルエーテルケトン、ポリエーテルイミド、ポリウレタン、アルキド樹脂、ポリエステルまたはアクリルポリマーの１つまたはそれ以上からなる補助結合剤と
を含んでなる、上記２に記載の耐食性フィルム。
７．固体の全質量に基づく固体の質量百分率で、
１０〜３５質量％の１つまたはそれ以上のフルオロポリマーと、
１〜１５質量％の１つまたはそれ以上のエポキシ樹脂と、
１７〜５５質量％の１つまたはそれ以上のポリアミドイミドと、
８〜３４質量％の、ポリエーテルスルホン、ポリフェニレンスルフィド、ポリアミド、ポリイミド、ポリエーテルエーテルケトン、ポリエーテルイミド、ポリウレタン、アルキド樹脂、ポリエステルまたはアクリルポリマーの１つまたはそれ以上からなる補助結合剤と
を含んでなる、上記２に記載の耐食性フィルム。
８．１〜１５質量％の１つまたはそれ以上の着色剤、顔料または染料と、
０．５〜４質量％の１つまたはそれ以上の硬質充填剤と
をさらに含んでなる、上記１〜７のいずれか一項に記載の耐食性フィルム。
９．硬質充填剤が、１〜１００ミクロンの平均粒径を有する微粒子充填剤であって、アルミナ、炭化ケイ素、ジルコニアおよびシート金属からなる群から選択される上記８に記載の耐食性フィルム。
１０．（ａ）基材と、
（ｂ）基材上に配置された、上記１〜９のいずれかに記載の耐食性フィルムと
を含んでなる、物品。
１１．固体の全質量に基づく固体の質量百分率で、
（ａ）１〜３５質量％の１つまたはそれ以上のフルオロポリマーと、
（ｂ）１〜７０質量％の１つまたはそれ以上のエポキシ樹脂と、
（ｃ）５〜７０質量％の１つまたはそれ以上のポリアミドイミドと、
可溶性または分散性有効量の溶媒と
を含んでなる、コーティング組成物。
１２．（ｄ）１〜４０質量％の、１つまたはそれ以上のポリエーテルスルホン、ポリフェニレンスルフィド、ポリアミド、ポリイミド、ポリエーテルエーテルケトン、ポリエーテルイミド、ポリウレタン、アルキド樹脂、ポリエステルまたはアクリルポリマーからなる補助結合剤
をさらに含んでなる、上記１１に記載のコーティング組成物。
１３．フルオロポリマーが、ポリテトラフルオロエチレン、テトラフルオロエチレン−ヘキサフルオロプロピレンコポリマー、テトラフルオロエチレン−ペルフルオロアルキルビニルエーテルコポリマー、エチレン−テトラフルオロエチレンコポリマー、ポリフッ化ビニル、ポリフッ化ビニリデン、ポリヘキサフルオロプロピレン、エチレン−ヘキサフルオロプロピレンコポリマー、エチレン−フッ化ビニルコポリマーまたはそれらのいずれかの組み合わせからなる群から選択される、上記１１又は１２に記載のコーティング組成物。１４．固体の全質量に基づく固体の質量百分率で、
３〜３５質量％の１つまたはそれ以上のフルオロポリマーと、
２〜６０質量％の１つまたはそれ以上のエポキシ樹脂と、
６〜５５質量％の１つまたはそれ以上のポリアミドイミドと、
７〜４０質量％の、ポリエーテルスルホン、ポリフェニレンスルフィド、ポリアミド、ポリイミド、ポリエーテルエーテルケトン、ポリエーテルイミド、ポリウレタン、アルキド樹脂、ポリエステルまたはアクリルポリマーの１つまたはそれ以上からなる補助結合剤と、
可溶性または分散性有効量の溶媒と
を含んでなる、上記１２に記載のコーティング組成物。
１５．固体の全質量に基づく固体の質量百分率で、
８〜３５質量％の１つまたはそれ以上のフルオロポリマーと、
１５〜７０質量％の１つまたはそれ以上のエポキシ樹脂と、
６〜１７質量％の１つまたはそれ以上のポリアミドイミドと、
５〜３５質量％の、ポリエーテルスルホン、ポリフェニレンスルフィド、ポリアミド、ポリイミド、ポリエーテルエーテルケトン、ポリエーテルイミド、ポリウレタン、アルキド樹脂、ポリエステルまたはアクリルポリマーの１つまたはそれ以上からなる補助結合剤と
可溶性または分散性有効量の、水と非水溶媒とを含んでなる溶媒混合物と
を含んでなる、上記１２に記載のコーティング組成物。
１６．固体の全質量に基づく固体の質量百分率で、
１０〜３５質量％の１つまたはそれ以上のフルオロポリマーと、
１〜１５質量％の１つまたはそれ以上のエポキシ樹脂と、
１７〜５５質量％の１つまたはそれ以上のポリアミドイミドと、
８〜３４質量％の、ポリエーテルスルホン、ポリフェニレンスルフィド、ポリアミド、ポリイミド、ポリエーテルエーテルケトン、ポリエーテルイミド、ポリウレタン、アルキ
ド樹脂、ポリエステルまたはアクリルポリマーの１つまたはそれ以上からなる補助結合剤と、
可溶性または分散性有効量の非水溶媒と
を含んでなる、上記１２に記載のコーティング組成物。
１７．１〜１５質量％の１つまたはそれ以上の着色剤、顔料または染料と、
０．５〜４質量％の１つまたはそれ以上の硬質充填剤と
をさらに含んでなる、上記１１〜１６のいずれかに記載のコーティング組成物。
１８．硬質充填剤が、１〜１００ミクロンの平均粒径を有する微粒子充填剤であって、アルミナ、炭化ケイ素、ジルコニアおよびシート金属からなる群から選択される、上記１７に記載のコーティング組成物。
１９．海水による腐食から金属基材を保護するための、上記１１〜１８のいずれかに記載のコーティング組成物の使用。
２０．基材上に耐食性フィルムを形成する方法であって、以下：
ｉ）上記１１〜１８のいずれかに記載の液体コーティング組成物で、基材をコーティングする工程と
ｉｉ）コーティングされた基材を加熱して、耐食性フィルムを形成する工程と
からなる、上記方法。
２１．加熱工程が１８０〜２４０℃で行なわれる、上記２０に記載の方法。
【手続補正２３】
【補正対象書類名】特許請求の範囲
【補正対象項目名】全文
【補正方法】変更
【補正の内容】
【特許請求の範囲】
【請求項１】
固体の全質量に基づく固体の質量百分率で、
（ａ）１〜３５質量％の１つまたはそれ以上のフルオロポリマーと、
（ｂ）１〜７０質量％の１つまたはそれ以上のエポキシ樹脂と、
（ｃ）５〜７０質量％の１つまたはそれ以上のポリアミドイミドと
（ｄ）１〜４０質量％の、１つまたはそれ以上のポリエーテルスルホン、ポリフェニレンスルフィド、ポリアミド、ポリイミド、ポリエーテルエーテルケトン、ポリエーテルイミド、ポリウレタン、アルキド樹脂、ポリエステルまたはアクリルポリマーからなる補助結合剤
を含んでなる、耐食性フィルム。
【請求項２】
（ａ）基材と、
（ｂ）基材上に配置された、請求項１に記載の耐食性フィルムと
を含んでなる、物品。